(57)【要約】【課題】配線器具の内部状態の詳細な情報を簡単に外部に出力できる配線器具を提供する。【解決手段】配線器具１０は、接続部材３及び開閉部６のうちの少なくとも一方と、発光部８２と、変調部８３と、を備える。接続部材３は、差込プラグ９１の導体９１１と接続される。開閉部６は、給電線９２が接続される給電路９を遮断又は導通する。発光部８２は、光を出力する。変調部８３は、発光部８２から出力される光を変調して、内部情報を光信号として発光部８２から送信させる。【選択図】図１
2019186135.tif 000002
【特許請求の範囲】
【請求項１】
差込プラグの導体と接続される接続部材、及び、給電線が接続される給電路を遮断又は導通する開閉部のうちの少なくとも一方と、
光を出力する発光部と、
前記発光部から出力される光を変調して、内部情報を前記発光部から光信号として送信させる送信制御部と、を備える
配線器具。
【請求項２】
物理量を検出する検出部を更に備え、
前記内部情報は、前記検出部で検出された前記物理量に関する情報である
請求項１に記載の配線器具。
【請求項３】
前記物理量は、電流、電圧、電力、温度、応力、機械的振動のうちの１つ以上である
請求項２に記載の配線器具。
【請求項４】
前記内部情報は、前記検出部で検出された前記物理量を解析した解析結果情報を含む
請求項２又は３に記載の配線器具。
【請求項５】
前記発光部は、可視光を出力する表示灯であり、点灯状態により前記配線器具の状態を報知する
請求項１〜４の何れか１項に記載の配線器具。
【請求項６】
前記光信号として前記発光部から出力される第１情報と、前記表示灯としての前記発光部から出力される第２情報とは、互いに関連し、
前記第１情報は、前記第２情報と異なる情報を含む
請求項５に記載の配線器具。
【請求項７】
前記光信号を第１光信号とし、
外部からの第２光信号を受信する受光部と、
前記受光部で受信された前記第２光信号を復調して情報を取り出す復調部と、を更に備える
請求項１〜６の何れか１項に記載の配線器具。
【請求項８】
前記開閉部と、
前記開閉部の開閉を操作する操作部と、を備え、
前記発光部は、前記開閉部の開閉状態に応じて点灯する
請求項１〜７の何れか１項に記載の配線器具。
【請求項９】
前記発光部は、複数の発光素子を含み、
前記複数の発光素子は、同期して発光する
請求項１〜８の何れか１項に記載の配線器具。
【請求項１０】
前記発光部は、可視光を出力する第１発光素子と、紫外線を出力する第２発光素子とを含む
請求項１〜９の何れか１項に記載の配線器具。
【請求項１１】
差込プラグの導体と接続される接続部材、及び、給電線が接続される給電路を遮断又は導通する開閉部のうちの少なくとも一方を備えた配線器具から情報を出力する情報出力方法であって、
発光部から出力される光を変調して、内部情報を前記発光部から光信号として送信する
情報出力方法。
【請求項１２】
コンピュータに、
請求項１１に記載の情報出力方法を実行させるためのプログラム。
【発明の詳細な説明】
【技術分野】
【０００１】
本開示は、一般に配線器具、情報出力方法、及びプログラムに関し、より詳細には、差込プラグの導体と接続される接続部材、及び給電路を開閉する開閉部のうちの少なくとも一方を備えた配線器具、情報出力方法、及びプログラムに関する。
【背景技術】
【０００２】
特許文献１に記載のテーブルタップ（配線器具）は、コンセントと、温度センサと、機械式リレーと、サーミスタと、ＬＥＤ（Light Emitting Diode）とを備えている。コンセントは、例えば機器などからの差込プラグの一対の栓刃が差し込まれる部分であり、差込プラグの一対の栓刃が電気的に接続される一対の端子を有する。温度センサは、コンセントの一対の端子の温度を検知する。機械式リレーは、電源とコンセントとの間の給電路を導通又は遮断する。サーミスタは、電源とコンセントとの間の給電路の温度を検出する。ＬＥＤは、点灯状態（点灯又は消灯）で、テーブルタップの状態（異常又は正常）を表示する表示灯である。
【０００３】
このテーブルタップでは、過電流が発生して、コンセントの一対の端子の温度が一定温度以上の過熱温度になると、リレーによって給電路が遮断される。そして、その過熱温度がサーミスタで検知されると、ＬＥＤが点灯して、テーブルタップに異常が発生したことがユーザに報知される。
【先行技術文献】
【特許文献】
【０００４】
【特許文献１】特開２０１８−１０８４６号公報
【発明の概要】
【発明が解決しようとする課題】
【０００５】
特許文献１に記載の構成では、ＬＥＤの点灯状態で、テーブルタップでの異常の発生がユーザに報知される。しかし、ＬＥＤの点灯状態だけでは、ユーザに知らせることが可能な情報量が限られているため、異常発生時のテーブルタップの内部状態の詳細な情報をユーザに把握させることができなかった。
【０００６】
本開示は上記事由に鑑みてなされており、配線器具の内部状態の詳細な情報を簡単に外部に出力できる配線器具、情報出力方法、及びプログラムを提供することを目的とする。
【課題を解決するための手段】
【０００７】
本開示の一態様に係る配線器具は、接続部材、及び、開閉部のうちの少なくとも一方と、発光部と、送信制御部と、を備える。前記接続部材は、差込プラグの導体と接続される。前記開閉部は、給電線が接続される給電路を遮断又は導通する。前記発光部は、光を出力する。前記送信制御部は、前記発光部から出力される光を変調して、内部情報を前記発光部から光信号として送信する。
【０００８】
本開示の一態様に係る情報出力方法は、接続部材、及び、開閉部のうちの少なくとも一方を備えた配線器具から情報を出力する情報出力方法である。前記接続部材は、差込プラグの導体と接続される。前記開閉部は、給電線が接続される給電路を遮断又は導通する。上記の情報出力方法では、発光部から出力される光を変調して、内部情報を前記発光部から光信号として送信する。
【０００９】
本開示の一態様に係るプログラムは、コンピュータに、上記の情報出力方法を実行させるためのプログラムである。
【発明の効果】
【００１０】
本開示によれば、配線器具の内部状態の詳細な情報を簡単に外部に出力できる、という利点がある。
【図面の簡単な説明】
【００１１】
【図１】図１は、本開示の一実施形態に係る配線器具システムの構成を示すブロック図である。
【図２】図２Ａは、同上の配線器具システムに含まれる配線器具における導通状態の外観斜視図である。図２Ｂは、同上の配線器具における遮断状態の外観斜視図である。
【図３】図３は、同上の配線器具システムの動作の一例を説明する説明図である。
【図４】図４は、同上の配線器具システムに含まれる受信装置の表示部の表示例を説明する説明図である。
【図５】図５は、同上の配線器具の変形例を説明するブロック図である。
【図６】図６は、同上の配線器具の別の変形例を説明する外観斜視図である。
【図７】図７は、変形例に係る配線器具システムに含まれるサーバを示すブロック図である。
【図８】図８は、同上の配線器具システムの動作を説明する説明図である。
【図９】図９は、同上の配線器具システムの動作を説明する別の説明図である。
【図１０】図１０Ａは、同上の配線器具システムに含まれる受信装置の表示部の表示例を説明する説明図である。図１０Ｂは、同上の受信装置の表示部の別の表示例を説明する説明図である。
【発明を実施するための形態】
【００１２】
（１）  概要
本実施形態に係る配線器具システム３００は、図１に示すように、配線器具１０を含む。配線器具１０は、例えば、電気機器の差込プラグ９１が接続されて電気機器への電力供給を行うコンセント（アウトレットとも言う）である。配線器具１０は、例えば、建物（戸建住宅若しくは集合住宅等の住宅施設、又は事務所、店舗、学校若しくは介護施設等の非住宅施設等）に設置される。配線器具１０は、例えば、施設（建物）の壁面、天井面及び床面等の造営面１５０（図２Ａ参照）に取り付けられる。
【００１３】
図１に示すように、配線器具１０は、端子部材２、接続部材３、温度検出部５、開閉部６、発光部８２、及び変調部８３（送信制御部）を備えている。
【００１４】
端子部材２は、外部からの給電線９２が電気的に接続される部材である。接続部材３は、差込プラグ９１が電気的に接続される部材である。端子部材２と接続部材３とは、給電路９を介して接続されている。すなわち、外部からの電力（例えば交流電力）が給電線９２を通じて端子部材２に入力され、入力された電力は、給電路９を通じて、接続部材３に接続された差込プラグ９１に供給される。
【００１５】
温度検出部５（検出部）は、端子部材２と接続部材３との少なくとも一方の温度（物理量）を検出温度として検出する。開閉部６は、端子部材２と接続部材３との間の給電路９に接続され、給電路９を遮断又は導通する。ここで、開閉部６は、判定条件を満たしたときに、導通状態から遮断状態に切り替わる。判定条件は、温度検出部５での検出温度が閾値温度（遮断温度とも言う）以上であることを含んでいる。開閉部６は、判定条件を満たさない場合において、遮断状態から導通状態に切替可能である。
【００１６】
本開示でいう「遮断状態から導通状態に切替可能」とは、遮断状態から導通状態への開閉部６の切替えが許容された状態を意味する。そのため、「遮断状態から導通状態に切替可能」でなければ、遮断状態にある開閉部６は導通状態への切替えが禁止され、遮断状態を維持することになる。ここで、遮断状態から導通状態への開閉部６の切替えは、ユーザが手動で行ってもよいし、例えば、配線器具１０の外部からの復旧信号を受信する、又は所定時間が経過する等の復旧条件を満たした場合に、配線器具１０が自動で行ってもよい。
【００１７】
発光部８２は、可視光を出力する部分（発光する部分）であり、点灯状態（点灯、消滅又は点滅）によって、配線器具１０の状態（正常状態又は異常状態）を表示する表示灯である。変調部８３は、発光部８２から出力される光（以後、発光光と記載する。）を変調して、配線器具１０の内部情報を発光部８２から光信号として送信させる。すなわち、発光部８２は、配線器具１０の状態を報知する表示灯としての機能と、光通信の発光部としての機能とを兼ねている。なお、発光部８２から光信号として送信される内部情報は、例えば、後述の制御部７が生成した情報、又は後述の記憶部８５に保存された状態を含んでもよい。また、配線器具１０の正常状態とは、開閉部６が導通状態にある状態である。異常状態とは、開閉部６が遮断状態にある状態である。なお、上記の内部情報には、温度検出部５（検出部）で検出された検出温度（物理量）に関する情報が含まれる。
【００１８】
上記構成によれば、配線器具１０は、温度検出部５での検出温度が閾値温度以上になって判定条件を満たすと、開閉部６が導通状態から遮断状態に切り替わる。この結果、端子部材２と接続部材３との間が電気的に遮断される。そのため、配線器具１０は、例えば、端子部材２と給電線９２との接触不良、又は接続部材３と差込プラグ９１との接触不良等により、検出温度が上昇することがあれば、自動で、接続部材３を端子部材２から電気的に切り離すことが可能である。これにより、例えば、接続部材３に電気機器の差込プラグ９１が接続されたままの状態にあっても、電気機器への電力供給が停止し、更なる発熱を抑制することが可能である。
【００１９】
また、開閉部６が導通状態から遮断状態に切り替わると、表示灯としての発光部８２の点灯状態で、配線器具１０での異常の発生がユーザに報知される。これにより、ユーザは、異常の発生を速やかに知ることができる。また、変調部８３が、発光部８２の発光光を変調して、配線機器１０の内部情報を、光信号として発光部８２から送信する。ユーザは、配線器具１０からの光信号を受信装置１００で受信することで、簡単に、異常発生時の配線器具１０の内部情報を得ることができる。
【００２０】
すなわち、配線器具１０は、内部情報を光信号で外部に出力するため、発光部８２の点灯状態で配線器具１０の状態を報知する場合よりも、より多くの情報を外部に出力できる。この結果、配線器具１０で異常が発生した場合、配線器具１０から光信号で外部に出力された情報を利用することで、異常の原因を解明し易くなる。また、受信装置１００で光信号を受信することで配線器具１０から情報を簡単に取得できる。このため、配線器具１０から取得した情報のみを利用して、例えばサービスセンタに配線器具１０を持ち込むことなく、異常の原因を解明できる。
【００２１】
また、配線器具１０は、内部情報を光信号で外部に出力するため、配線器具１０が表示灯及びマイクロコンピュータ（以下、「マイコン」という）を備える場合は、マイコンの動作設定を変更するだけで、表示灯を光通信の発光部８２として利用できる。この結果、配線器具１０を廉価に構成できる。さらに、受信装置１００として、光通信機能を有する既存の端末装置（例えば、スマートフォン、携帯電話、タブレット又はＰＣ（Personal Computer））を利用できる。この結果、受信装置１００も廉価に構成できる。
【００２２】
（２）詳細
次に、本実施形態に係る配線器具システム３００について、より詳細に説明する。
【００２３】
（２．１）全体構成
図１に示すように、配線器具システム３００は、配線器具１０と、受信装置１００と、サーバ２００と、を含む。配線器具１０は、例えば、建物の壁に設けられたコンセントである。受信装置１００は、配線器具１０から光信号で出力された情報を受信する装置である。サーバ２００は、配線器具１０から光信号で出力された情報をデータベース化する装置である。
【００２４】
（２．２）配線器具
図１に示すように、配線器具１０は、複数（図示例では２つ）の端子部材２、複数（図示例では４つ）の接続部材３、温度検出部５、開閉部６、発光部８２、及び変調部８３を備える。これに加えて、配線器具１０は、筐体４（図２Ａ参照）、制御部７、操作部材８１、スイッチ８４、記憶部８５、電源回路８６、及び遮断回路８７、を更に備えている。
【００２５】
図２Ａ及び図２Ｂに示すように、配線器具１０（すなわちコンセント）は、建物の壁面などの造営面１５０に設けられた開口部（不図示）に嵌め込まれるように配置される埋込型の配線器具である。配線器具１０は、環状の化粧プレート４３を有している。配線器具１０が造営面１５０に設置された状態では、化粧プレート４３は、造営面１５０に配置されており、配線器具１０の筐体４の前面が化粧プレート４３の内側から露出される。本実施形態では、配線器具１０が屋内用である場合、つまり造営面１５０が建物（施設）の内壁面である場合について説明するが、この例に限らず、配線器具１０は屋外用であってもよい。
【００２６】
以下では、造営面１５０である建物の内壁面に配線器具１０が取り付けられた状態で、配線器具１０を正面から見て、上方（鉛直方向）を「上方」とし、下方（鉛直方向）を「下方」とし、右方を「右方」とし、左方を「左方」として説明する。さらに、造営面１５０に直交する方向を「前後方向」とし、造営面１５０の表側を「前方」とし、裏側を「後方」として説明する。ただし、これらの方向は配線器具１０の使用方向を限定する趣旨ではない。例えば、配線器具１０が壁面ではなく床面に取り付けられる場合には、「前後方向」は床面に対して垂直な方向となり、「上下方向」及び「左右方向」は床面に平行な方向となる。
【００２７】
本実施形態では、配線器具１０として、２個の差込プラグ９１を同時に接続可能な２個口タイプのコンセントを例示する。すなわち、配線器具１０は、複数（図示例では２個）の差込プラグ９１に対応するように、複数（図示例では２個）の接続口１１を有している。複数の接続口１１は、各々が１つの差込プラグ９１を接続可能に構成されており、筐体４の前面において上下方向に沿って並んで配置されている。
【００２８】
２個の接続口１１のうち、一方（上方）の接続口１１は、交流１００Ｖ用の２極接地極付きコンセントである。他方（下方）の接続口１１は、交流１００Ｖ用の接地極無しの２極コンセントである。すなわち、本実施形態では、差込プラグ９１として、一対の栓刃９１１（導体）を有する２極プラグを接続対象としている。したがって、各接続口１１は、一対の挿入孔１１１を有する。一対の挿入孔１１１の各々は、差込プラグ９１の一対の栓刃９１１の各々が挿入される孔である。一対の挿入孔１１１は、左右方向に並んで設けられている。
【００２９】
また、２極プラグに対応するように、配線器具１０は、互いに異極性となる一対の端子部材２を備えている。一対の端子部材２は、外部からの一対の給電線９２が電気的に接続される部分であり、導電性を有する金属（例えば銅又は銅合金等）で形成されている。一対の端子部材２のうち、一方の端子部材２には、一対の給電線９２のうちのＬ極（HOT）側の給電線９２が接続され、他方の端子部材２には、Ｎ極（COLD）側の給電線９２が接続される。
【００３０】
同様に、配線器具１０は、接続口１１毎に、互いに異極性となる一対の接続部材３を備えており、計二対（４個）の接続部材３を備えている。一対の接続部材３は、差込プラグ９１の一対の栓刃９１１と電気的に接続する部材であり、導電性及び弾性を有する金属（例えば銅又は銅合金等）で形成されている。一対の接続部材３の各々は、接続口１１の一対の挿入孔１１１の各々に一対一に対応し、対応する挿入孔１１１の裏側に配置されており、対応する挿入孔１１１に差し込まれた栓刃９１１と電気的に接続する。各接続部材３は、互いに対向する一対の刃受片を有し、一対の刃受片の間に栓刃９１１を挟むことで、栓刃９１１と電気的に接続される。
【００３１】
二対（４個）の接続部材３のうち、互いに同極性である２個の接続部材３は、リード板３０（図１参照）にて互いに連結されている。さらに、互いに同極性である接続部材３と端子部材２とは、開閉部６及び給電路９を介して電気的に接続されている。
【００３２】
筐体４は、上述した各種部品（すなわち、端子部材２、接続部材３、温度検出部５、開閉部６、発光部８２、変調部８３、制御部７、操作部材８１、スイッチ８４、電源回路８６、遮断回路８７、及び記憶部８５）を収容又は保持する部材である。筐体４は、外カバー４２と、外ボディ（図示省略）と、を有している。外カバー４２は、例えば略矩形の平板状に形成され、外ボディは、例えば略直方体形の箱状に形成されている。これら外カバー４２及び外ボディが組み合わされることで、筐体４が構成されている。筐体４は、電気絶縁性を有する合成樹脂製である。外カバー４２は、造営面１５０（すなわち壁面）に配置され、外ボディは、壁の内部に埋め込まれている。
【００３３】
外カバー４２には、上述した２個の接続口１１が形成されている。２個の接続口１１は、例えば、外カバー４２における上下方向の中央で右寄りの範囲において、上下方向に並んで形成されている。外カバー４２の裏側には、上述のように、各接続口１１に対応する位置に、一対の接続部材３の各々が配置されている。
【００３４】
また、外カバー４２には、２つの表示孔８２１ａ，８２２ａと、２つの操作孔８４ａ，４２１とが、前後方向に貫通して設けられている。各表示孔８２１ａ，８２２ａは、発光部８２の後述の第１発光部８２１及び第２発光部８２２が配置される孔である。表示孔８２１ａ，８２２ａは、例えば、円形の孔であり、外カバー４２の上部の左側の部位に左右方向に並んで設けられている。操作孔８４ａは、スイッチ８４が配置される孔である。操作孔８４ａは、例えば、円形の孔であり、外カバー４２における表示孔８２１ａ，８２２ａの下側に設けられている。操作孔４２１は、操作部材８１が配置される孔である。操作孔４２１は、例えば、縦長矩形の孔であり、操作孔８４ａの下側に設けられている。
【００３５】
発光部８２は、可視光（例えば４００ｎｍ〜７００ｎｍの波長の光）を発光する表示灯であり、配線器具１０の状態を、発光部８２の点灯状態（点灯、点滅及び消灯）及び発光色の組み合わせで報知する。本実施形態では、発光部８２は、配線器具１０の状態を点灯状態及び発光色の組み合わせで報知するが、点灯状態だけで報知してもよい。配線器具１０の状態とは、配線器具１０の正常状態と異常状態の何れかの状態である。配線器具１０の正常状態とは、例えば、開閉部６が導通する導通状態であり、配線器具１０の異常状態とは、例えば、開閉部６が遮断した遮断状態である。
【００３６】
発光部８２は、可視光を発光する２つの発光部（第１発光部８２１及び第２発光部８２２）を有する。第１発光部８２１及び第２発光部８２２は、互いに発光色の異なる発光素子（例えばＬＥＤ（Light Emitting Diode））で構成されている。第１発光部８２１の発光色は、例えば緑色であり、第２発光部８２２の発光色は、例えば赤色である。
【００３７】
配線器具１０の正常状態では、第１発光部８２１は点灯し、第２発光部８２２は消灯する。この点灯状態で、配線器具１０の正常状態が報知される。配線器具１０の異常状態では、第１発光部８２１は消灯し、第２発光部が点灯する。この点灯状態で、配線器具１０の異常状態が報知される。
【００３８】
上述のように、第１発光部８２１及び第２発光部８２２はそれぞれ、外カバー４２の各表示孔８２１ａ，８２２ａに配置されている。これにより、第１発光部８２１及び第２発光部８２２の各々の発光光は、各表示孔８２１ａ，８２２ａを通じて、筐体４の前方から視認可能である。
【００３９】
スイッチ８４は、開閉部６を強制的に導通状態から遮断状態に切り替えるための手動スイッチ（テストスイッチ）であり、例えば押しボタン式のスイッチである。スイッチ８４は、押し操作されるとオンとなり、押し操作が解除されるとオフになる。そして、スイッチ８４は、オン状態では、オン状態を示す信号を制御部７に出力し、オフ状態では、オフ状態を示す信号７を制御部に出力する。上述のように、スイッチ８４は、外カバー４２の操作孔４２ａ内に配置されており、これにより、筐体４の前方からスイッチ８４の操作が可能である。
【００４０】
操作部材８１は、手動で、開閉部６を遮断状態から導通状態に切り替えるための操作部材である。操作部材８１は、例えば上下方向に回転可能なレバー式ハンドルである。操作部材８１は、上述のように、カバーの操作孔４２１に配置されており、これにより、筐体４の前方から操作部材８１の操作が可能である。
【００４１】
操作部材８１は、開閉部６に連動して回転し、オン位置（図２Ａ参照）、オフ位置（図２Ｂ参照）との間で移動する。オン位置は開閉部６の導通状態に対応する位置であり、オフ位置は開閉部６の遮断状態に対応する位置である。つまり、開閉部６が導通状態にあれば、図２Ａに示すように、操作部材８１がオン位置に位置する。操作部材８１がオン位置にあるときは、操作部材８１の前面は筐体４の前面と略面一になる。一方、開閉部６が導通状態から遮断状態に切り替わると、操作部材８１が回転して操作部材８１の先端部が前方（手前側）に移動し、図２Ｂに示すように、操作部材８１がオフ位置に移動する。操作部材８１がオフ位置にあるときは、操作部材８１は筐体４の前面から前方に突出する。
【００４２】
このように、操作部材８１と開閉部６とは、互いに連動している。このため、開閉部６が、後述のように遮断回路８７からの駆動信号を受けて導通状態から遮断状態に切り替わると、操作部材８１は、オン位置からオフ位置に移動する。反対に、操作部材８１がオフ位置からオン位置に移動すると、開閉部６は、遮断状態から導通状態に切り替わる。そのため、オフ位置にある操作部材８１をユーザが操作してオン位置に移動させることで、遮断状態にある開閉部６を導通状態に切り替えることができる。
【００４３】
また、開閉部６は、遮断回路８７からの駆動信号を受けた場合のみならず、手動で、操作部材８１がオン位置からオフ位置に移動された場合にも、導通状態から遮断状態に切り替わる。そのため、開閉部６は、操作部材８１の操作に応じてオンオフする操作スイッチとしても機能している。
【００４４】
図１に示すように、温度検出部５（検出部）は、端子部材２と接続部材３との両方の温度（物理量）を検出温度として検出する。なお、本実施形態の温度検出部５は、端子部材２と接続部材３との両方の温度を検出するが、温度検出部５は、端子部材２と接続部材３との少なくとも一方の温度を検出すればよい。温度検出部５は、第１温度センサ５１及び第２温度センサ５２を有している。第１温度センサ５１は、端子部材２の温度を検出するセンサである。第２温度センサ５２は、接続部材３の温度を検出するセンサである。第１温度センサ５１は端子部材２に熱的に結合され、第２温度センサ５２は接続部材３に熱的に結合されている。第１温度センサ５１及び第２温度センサ５２の各々は、例えば、サーミスタ、熱電対、バイメタル又はサーモパイル等で実現される。
【００４５】
温度検出部５は、第１温度センサ５１及び第２温度センサ５２で検出された検出温度に応じた検出信号を、制御部７に出力する。本開示でいう「検出信号」は、特定の符号によって温度に応じた情報を伝える信号（電気信号）であればよく、例えば、温度に応じて、抵抗値、電圧値若しくは電流値等の電気量が変化する信号である。また、検出信号は、温度検出部５で検出される温度が閾値温度以上か閾値温度未満かによって、オン／オフ（又はハイレベル／ローレベル）の２値が切り替わる信号等であってもよい。さらに、温度検出部５は、第１温度センサ５１及び第２温度センサ５２の出力を処理して検出信号を出力する、処理回路を含んでいてもよい。
【００４６】
第１温度センサ５１は、互いに異極性となる一対の端子部材２に対応するように、一対設けられている。第２温度センサ５２は、例えば同極性の接続部材３を接続するリード板３０と熱的に結合され、リード板３０の温度を検出することで、接続部材３の温度を検出する。この場合、第２温度センサ５２は、互いに異極性となる一対のリード板３０に対応するように一対設けられている。
【００４７】
さらに、接続部材３の温度上昇が生じると、接続部材３又はリード板３０からの放熱により、筐体４の内部空間の温度も上昇する。同様に、端子部材２の温度上昇が生じると、端子部材２の放熱により、筐体４の内部空間の温度も上昇する。そのため、温度検出部５は、接続部材３、リード板３０又は端子部材２上ではなく、筐体４の内部空間に設定された検出点等の温度を検出することで、間接的に接続部材３又は端子部材２の温度を検出してもよい。
【００４８】
開閉部６は、端子部材２と接続部材３との間の給電路９を導通又は遮断する装置である。開閉部６が導通状態にあれば、端子部材２と接続部材３との間は、開閉部６を介して導通し、開閉部６が遮断状態にあれば、端子部材２と接続部材３との間は、開閉部６にて電気的に遮断（絶縁）される。配線器具１０は、互いに異極性となる一対の端子部材２を備えており、開閉部６は、一対の端子部材２の両方に対して電気的に接続されている。そのため、開閉部６が遮断状態にあれば、二対（４個）の接続部材３は、全て端子部材２から電気的に切り離される。
【００４９】
より詳細には、開閉部６は、例えばブレーカであり、互いに異極性となる一対の接点装置と、電磁釈放装置と、を有している。一対の接点装置の各々は、固定接点及び可動接点を有している。可動接点は、固定接点に接触する閉位置と、固定接点から離れた開位置との間で移動する。固定接点には接続部材３が電気的に接続され、可動接点には端子部材２が電気的に接続される。このような構成の開閉部６は、定常時には、可動接点が閉位置に位置することで、端子部材２と接続部材３との間を導通させる導通状態にある。一方、開閉部６は、遮断回路８７からの駆動信号を受けると、電磁釈放装置を駆動させて、可動接点を開位置に移動させることで、端子部材２と接続部材３との間を電気的に遮断する遮断状態に切り替わる。このように、開閉部６は、遮断回路８７からの駆動信号により、導通状態から遮断状態に切り替わる。
【００５０】
また、開閉部６には、上述のように、操作部材８１が機械的に結合されており、操作部材８１の操作によって、遮断状態又は導通状態に切替可能である。
【００５１】
変調部８３は、制御部７からの出力信号に基づいて発光部８２の発光光を変調することで、制御部７からの出力信号を光信号として発光部８２から送信させる装置（すなわち送信制御部）である。すなわち、変調部８３は、制御部７からの出力信号に基づいて、予め設定された変調方式で、発光部８２の発光光の振幅（強度）、周波数及び位相の何れか１つ以上を変調することで、制御部７からの出力信号を発光部８２の発光光に重畳する。これにより、制御部７からの出力信号が、光信号として発光部８２から送信される。
【００５２】
本実施形態では、変調方式として、光信号を発光部８２の点灯及び点滅の二値で表現する二値光強度変調方式が採用される。すなわち、変調部８３は、制御部７からの信号に含まれる符号「１」「０」に応じて発光部８２を点灯又は消灯させる。これにより、制御部７からの信号に応じた点滅パターンで発光部８２が点滅する。この点滅によって、制御部７からの信号が、光信号として発光部８２から送信される。
【００５３】
なお、本実施形態では、変調方式として二値光強度変調が採用されるが、発光部８２の発光光の強度を３段階以上に変化させた多値で光信号を表現する多値光強度変調が採用されてもよい。また、変調方式として、例えば、振幅偏移変調、位相偏移変調、周波数偏移変調、又は直交偏移変調などが採用されてもよい。このように、変調方式として二値光強度変調方式（又は多値光強度変調方式）が採用される場合、発光部８２の駆動は、スイッチング素子を用いた簡易な構成で実現できるため、変調部８３を廉価な構成で実現できる。
【００５４】
光信号として発光部８２から送信される情報（以下、第１情報と記載する。）は、例えば、配線器具１０の内部状態の詳細な情報であり、例えば、配線器具１０の動作履歴を示す情報である。配線器具１０の動作履歴には、開閉部６の動作履歴、温度検出部５の検出温度推移、及び、解析結果情報が含まれる。解析結果情報は、開閉部６の動作履歴、及び温度検出部５の検出温度推移（検出部で検出された物理量）を解析した結果を示す情報である。表示灯としての発光部８２で報知（出力）される情報（以下、第２情報と記載する。）は、上述の通り、配線器具１０の状態を示す情報である。
【００５５】
よって、第１情報と第２情報とは、例えば互いに配線器具１０に関連するという点で、互いに関連した情報である。また、第１情報は、第２情報と異なる情報（例えば開閉部６の動作履歴、温度検出部５の検出温度推移、及び、解析結果情報）を含んでいる。また、第２情報は、例えば配線器具１０の状態を示す情報のみを含むが、第１情報は、開閉部６の動作履歴、温度検出部５の検出温度推移、及び解析結果情報を含むため、第１情報は、第２情報よりも多い。
【００５６】
このため、配線器具１０の異常の原因を特定する際に、表示灯としての発光部８２で提供される情報（第２情報）だけでは十分でない場合は、発光部８２からの光信号によって第１情報を取得することで、配線器具１０の異常の原因をより正確に特定できる。
【００５７】
また、変調部８３は、制御部７からの出力信号に応じて発光部８２を点灯又は点滅させるため、発光部８２を駆動する駆動回路としても機能している。すなわち、制御部７は、発光部８２を点灯又は点滅させる場合は、発光部８２が点灯又は点滅する信号を変調部８３に出力する。
【００５８】
本実施形態では、発光部８２は、配線器具１０の状態を報知する表示灯と、光通信の発光部とを兼用している。変調部８３は、表示灯としての発光部８２の点灯中に、発光部８２から光信号を送信させる。変調部８３は、発光部８２から光信号を送信させるとき、発光部８２を点滅させるが、その点滅は、表示灯としての発光部８２の点灯状態が実質的に点灯しているように見えるように、高速で行われる。これにより、発光部８２が表示灯として機能しているときに発光部８２から光信号が送信されても、表示灯としての発光部８２の点灯状態に影響を与えることなく、光信号が送信される。
【００５９】
また、本実施形態では、光信号は、発光部８２からシリアル通信で送信される。このため、シリアル通信の符号「０」が連続すると、表示灯としての発光部８２が消灯になる。したがって、変調部８３は、発光部８２から光信号を送信させるとき、表示灯として実質的に点灯しているように見えるように、発光部８２を点滅させる。具体的には、例えば、変調部８３は、シリアル通信の符号「０」が所定数以上連続しないように、発光部８２の発光光を変調する。
【００６０】
記憶部８５は、不揮発性の記憶装置（例えばフラッシュメモリ、ＳＳＤ（solid state drive））であり、例えば、配線器具１０の内部情報（例えば、配線器具１０の動作履歴など）を記憶する。配線器具１０の動作履歴には、上述のように、例えば、開閉部６の動作履歴、温度検出部５の検出温度推移の情報、及び、解析結果情報が含まれる。
【００６１】
開閉部６の動作履歴の情報は、開閉部６が導通状態から遮断状態に切り替わったときの時刻（遮断時刻）の情報、及び開閉部６が遮断状態から導通状態に切り替わったときの時刻（導通時刻）の情報を含む。検出温度推移の情報は、検出温度が閾値温度以上になってから閾値温度を下回るまでの期間を含む一定期間の検出温度の時間推移の情報を含む。閾値温度とは、配線器具１０の内部温度（例えば接続部材３又は端子部材２の温度）であって、開閉部６が遮断される閾値温度である。解析結果情報とは、開閉部６の動作履歴、及び温度検出部５の検出温度推移を解析した情報である。解析結果情報は、閾値温度以上の異常過熱の発生の有無、異常過熱の発生箇所、開閉部６の遮断の有無の情報、開閉部６の動作履歴をグラフ化したグラフ情報、及び、温度検出部５の検出温度推移をグラフ化したグラフ情報などの情報を含む。本実施形態では、異常過熱の発生箇所とは、例えば、温度検出部５の検出対象である４個の接続部材３及び２個の端子部材２の何れかである。解析結果情報は、開閉部６の動作履歴及び温度検出部５の検出温度推移の各々の情報を、受信装置１００の表示部１０３に表示可能な情報であって、ユーザが把握し易いように可視化された情報である。
【００６２】
電源回路８６は、配線器具１０を動作させるための直流電力を供給する電源回路である。電源回路８６は、端子部材２に入力された交流電力の一部を直流電力に変換し、変換した直流電力を配線器具１０内の電気回路（温度検出部５、制御部７、発光部８２、変調部８３、記憶部８５、及び遮断回路８７）に供給する。電源回路８６は、給電路９に分岐接続されており、給電路９から交流電力の一部が分岐して入力され、入力された交流電力を直流電力に変換している。
【００６３】
遮断回路８７は、制御部７からの制御信号に応じて、開閉部６を導通又は遮断させる回路である。遮断回路８７は、制御部７からの制御信号を受信すると、駆動信号を開閉部６に出力する。駆動信号は、開閉部６を導通又は遮断させるための信号である。開閉部６は、遮断回路８７からの駆動信号に応じて導通又は遮断する。
【００６４】
制御部７は、温度検出部５の検出温度及びスイッチ８４のオンオフに基づいて、変調部８３及び遮断回路８７を制御する。また、制御部７は、配線器具１０の動作履歴の情報を生成して記憶部８５に保存する。制御部７は、温度検出部５、記憶部８５、スイッチ８４、変調部８３、及び遮断回路８７に電気的に接続されている。
【００６５】
制御部７は、例えば、マイコンを主構成として備えている。マイコンは、マイコンのメモリに記録されているプログラムをＣＰＵ（Central Processing Unit）で実行することで、制御部７としての機能を実現する。プログラムは、予めマイコンのメモリに記録されていてもよいし、メモリカードのような非一時的記録媒体に記録されて提供されたり、電気通信回線を通して提供されたりしてもよい。上記プログラムは、マイコンを、制御部７として機能させるためのプログラムである。
【００６６】
制御部７は、配線器具１０の動作履歴の情報として、温度検出部５の検出温度推移の情報、及び開閉部６の動作履歴の情報を生成して記憶部８５に保存する。より詳細には、制御部７は、時刻を刻む時計機能を有している。そして、制御部７は、温度検出部５から検出温度を一定時間毎に取得し、検出温度を取得する毎に、取得した検出温度とその検出温度の検出時刻とを対応付けた情報を生成して記憶部８５に保存する。なお、上記の検出時刻は、制御部７が温度検出部５から検出温度を取得した取得時刻で代用してもよい。このように生成された情報によって、温度検出部５の検出温度推移の情報が形成されている。また、制御部７は、遮断回路８７を制御して開閉部６を導通又は遮断させる毎に、その導通させた時刻（導通時刻）又はその遮断させた時刻（遮断時刻）の情報を生成して記憶部８５に保存する。このように生成された情報によって、開閉部６の動作履歴の情報が形成されている。
【００６７】
制御部７は、温度検出部５での検出温度が閾値温度以上の温度であることを含む判定条件が満たされたか否かに応じて、遮断回路８７を制御して開閉部６の遮断及び導通を制御する。より詳細には、制御部７は、温度検出部５からの検出信号を受信することで、検出温度を取得する。そして、制御部７は、メモリ等に記憶されている閾値温度（遮断温度）と、取得した検出温度との比較を行い、判定条件の判定を行う。
【００６８】
本実施形態では一例として、判定条件は、温度検出部５での検出温度が閾値温度以上の温度であることのみとする。すなわち、制御部７は、４個の接続部材３及び２個の端子部材２の何れかの検出温度が判定条件を満たせば、判定条件を満たしたと判定する。また、制御部７は、４個の接続部材３及び２個の端子部材２の全ての検出温度が判定条件を満たさなければ、判定条件を満たさないと判定する。
【００６９】
そして、制御部７は、判定条件が満たされたと判定したとき、遮断回路８７に制御信号を出力して、開閉部６を導通状態から遮断状態に切り替える。また、制御部７は、判定条件が満たされていないと判定したとき、遮断回路８７に制御信号を出力して、例えば、開閉部６を遮断状態から導通状態に切替可能とする。これにより、操作部材８１を操作することで、開閉部６を遮断状態から導通状態に切替可能である。なお、操作部材８１の操作で開閉部６を遮断状態から導通状態に切替可能にする代わりに、遮断回路８７の制御信号で、開閉部６を遮断状態から導通状態に切り替えても良い。
【００７０】
制御部７は、開閉部６が導通状態から遮断状態に切り替えられると、例えば遮断時刻の時点で記憶部８５に保存されている配線器具１０の動作履歴を解析して解析結果情報を作成（すなわち生成）する。そして、制御部７は、作成した解析結果情報を配線器具１０の動作履歴として、記憶部８５に保存し、かつ、後述のように変調部８３に出力して光信号として発光部８２から送信させる。
【００７１】
制御部７は、開閉部６の導通状態又は遮断状態に応じて、変調部８３を制御して発光部８２を駆動させる。これにより、上述のように、表示灯としての発光部８２の点灯状態及び発光色の組み合わせで、配線器具１０の状態（正常状態又は異常状態）が報知される。すなわち、制御部７は、開閉部６が導通状態のときは、変調部８３に信号を出力して第１発光部８２１を点灯させ、第２発光部８２２を消灯させる。これにより、表示灯としての発光部８２によって配線器具１０の正常状態が報知される。また、制御部７は、開閉部６が遮断状態のときは、変調部８３に信号を出力して第１発光部８２１を消灯させ、第２発光部８２２を点灯させる。これにより、表示灯としての発光部８２によって配線器具１０の異常状態が報知される。
【００７２】
制御部７は、発光部８２の点灯状態で配線器具１０の異常状態を報知している間、変調部８３を制御して、記憶部８５に保存された配線器具１０の動作履歴の情報を、発光部８２（第２発光部８２２）から光信号として送信させる。これにより、発光部８２の表示灯としての点灯状態で配線器具１０の異常状態が報知され、同時に、発光部８２から送信される光信号で、配線器具１０の動作履歴の情報（すなわち配線器具１０の内部状態の詳細な情報）が外部に出力される。
【００７３】
配線器具１０の発光部８２から送信された光信号は、ユーザ（又はサービスマン）が所持する受信装置１００で受信可能である。そして、受信装置１００は、受信した配線器具１０の動作履歴の情報を表示部１０３に表示可能である。受信装置１００は、例えば、配線器具１０の動作履歴のうち、解析結果情報のみを表示部１０３に表示する。また、受信装置１００は、受信した配線器具１０の動作履歴の情報（開閉部６の動作履歴の情報、温度検出部５の検出温度推移の情報、及び解析結果情報）を、公衆通信網を通じてサーバ２００に送信する。そして、配線器具１０の動作履歴の情報は、サーバ２００にてデータベース化される。
【００７４】
（２．３）受信装置
次に図１を参照して受信装置１００について説明する。
【００７５】
図１に示すように、受信装置１００は、配線器具１０からの光信号を受信可能な端末装置であり、受光部１０１と、復調部１０２と、表示部１０３と、通信部１０４と、制御部１０５と、を有する。
【００７６】
受光部１０１は、配線器具１０からの光信号を受光可能である。復調部１０２は、受光部１０１が受光した光信号を復調する。表示部１０３は、例えば液晶パネル又は有機ＥＬ（Electro Luminescence）パネルで構成可能である。受光部１０１で受光した光信号に含まれる情報（配線器具１０の動作履歴の情報）を表示可能である。通信部１０４は、無線又は有線で公衆通信網（公衆電話網又はインターネット網）に通信接続し、公衆通信網を通じて外部のサーバ２００との間で通信を行う。
【００７７】
制御部１０５は、受光部１０１、復調部１０２、表示部１０３及び通信部１０４を制御する。制御部１０５は、表示専用アプリケーションを内蔵している。表示専用アプリケーションは、配線器具１０から受信した各種情報（例えば配線器具１０の動作履歴）を表示部１０３に表示させるためのアプリケーションである。
【００７８】
制御部１０５は、例えば、マイコンを主構成として備えている。マイコンは、マイコンのメモリに記録されているプログラムをＣＰＵ（Central Processing Unit）で実行することで、制御部１０５としての機能を実現する。プログラムは、予めマイコンのメモリに記録されていてもよいし、メモリカードのような非一時的記録媒体に記録されて提供されたり、電気通信回線を通して提供されたりしてもよい。上記プログラムは、マイコンを、制御部１０５として機能させるためのプログラムである。
【００７９】
このように構成された受信装置１００は、配線器具１０からの光信号を受光部１０１で受信すると、復調部１０２で光信号を復調して、光信号から配線器具１０の動作履歴を取得する。そして、受信装置１００は、表示専用アプリケーションを用いて、配線器具１０の動作履歴のうちの解析結果情報を表示部１０３に表示する。これにより、ユーザは、受信装置１００で解析結果情報を視認でき、異常温度発生時の配線器具１０の内部状態の詳細な情報を知ることができる。他方、受信装置１００は、取得した配線器具１０の動作履歴のうち、残りの情報（開閉部６の動作履歴の情報及び温度検出部５の検出温度推移の情報）を、受信装置１００の識別情報と対応付けて、通信部１０４からサーバ２００に送信する。
【００８０】
なお、受信装置１００は、専用端末として構成されてもよいし、光通信機能を有する既存の端末装置（スマートフォン、携帯電話、タブレット又はＰＣ）を用いてもよい。
【００８１】
（２．４）サーバ
次に図１を参照してサーバ２００について説明する。
【００８２】
図１に示すように、サーバ２００は、受信装置１００を介して各場所に設置された配線器具１０の動作履歴の情報を受信し、受信した配線器具１０の動作履歴の情報をデータベース化する装置であり、例えば、配線器具１０の製造元が管理している。このように、各配線器具１０で生成された配線器具１０の動作履歴の情報がデータベース化されることで、各配線器具１０の異常発生時の対処策、及び、配線器具１０の保守に役立てることができる。
【００８３】
サーバ２００は、通信部２０１と、データベース２０２と、制御部２０３と、を備えている。
【００８４】
通信部２０１は、無線又は有線で公衆通信網（公衆電話網又はインターネット網）に通信接続し、公衆通信網を通じて受信装置１００と通信を行う。データベース２０２は、各場所に設置された配線器具１０から得られた配線器具１０の動作履歴の情報で構成されている。データベース２０２には、各配線器具１０で発生した異常の原因と、その異常に対する対処策とが対応付けられて保存されている。
【００８５】
制御部２０３は、通信部２０１で受信した配線器具１０の動作履歴の情報をデータベース２０２に保存する。また、制御部１０５は、通信部２０１で受信した配線器具１０の動作履歴に含まれる解析結果情報から、配線器具１０の異常の原因を特定する。そして、制御部２０３は、データベース２０２で、特定した異常の原因に対する対応索を検索し、その異常の原因に対する対処策を、通信部２０１を通じて受信装置１００に返信してもよい。
【００８６】
制御部２０３は、例えば、マイコンを主構成として備えている。マイコンは、マイコンのメモリに記録されているプログラムをＣＰＵで実行することで、制御部２０３としての機能を実現する。プログラムは、予めマイコンのメモリに記録されていてもよいし、メモリカードのような非一時的記録媒体に記録されて提供されたり、電気通信回線を通して提供されたりしてもよい。上記プログラムは、マイコンを、制御部２０３として機能させるためのプログラムである。
【００８７】
（２．４）動作説明
次に図３を参照して、配線器具システム３００の動作を説明する。
【００８８】
配線器具１０の４個の接続部材３及び２個の端子部材２の全てで異常過熱（すなわち閾値温度以上の温度）が発生していないときは、温度検出部５の検出温度が閾値温度未満である。このため、制御部７は、判定条件を満たしていない（すなわち配線器具１０は正常状態である）と判定する。そして、制御部７は、配線器具１０が正常状態であるときは、遮断回路８７を制御して開閉部６を導通状態にさせる（Ｓ１）。
【００８９】
さらに、制御部７は、配線器具１０が正常状態のとき、変調部８３を制御して、発光部８２の第１発光部８２１を点灯させ、第２発光部８２２を消灯させる（Ｓ２）。これにより、表示灯としての発光部８２の点灯状態で、配線器具１０が正常状態であることが報知される。なお、制御部７は、配線器具１０が正常状態である間、配線器具１０の動作履歴（すなわち、温度検出部５の検出温度推移及び開閉部６の動作履歴）の情報を生成して記憶部８５に保存している。
【００９０】
そして、配線器具１０の４個の接続部材３及び２個の端子部材２の何れかで異常過熱（すなわち閾値温度以上の温度）が発生すると（Ｓ３）、温度検出部５がその異常過熱を検出して、制御部７が、温度検出部５の検出温度に基づいて判定条件を満たしたと判定する。制御部７は、判定条件を満たしたと判定すると、遮断回路８７を制御して開閉部６を遮断させる（Ｓ４）。
【００９１】
そして、制御部７は、開閉部６が遮断されると、記憶部８５に保存された配線器具１０の動作履歴（温度検出部５の検出温度推移及び開閉部６の動作履歴）を解析して解析結果情報を作成（すなわち生成）する（Ｓ５）。そして、制御部７は、作成した解析結果情報を、配線器具２０の動作履歴として記憶部８５に保存する。
【００９２】
そして、制御部７は、変調部８３を制御して、発光部８２の第１発光部８２１を消灯させ、第２発光部８２２を点灯させる（Ｓ６）。その際、制御部７は、記憶部８５に保存された配線器具１０の動作履歴の情報を変調部８３に出力する。これにより、変調部８３は、制御部７からの動作履歴の情報に基づいて第２発光部８２２の発光光を変調することで、制御部７からの動作履歴の情報を第２発光部８２２から光信号として送信する（Ｓ６）。すなわち、表示灯としての第２発光部８２２の点灯中に、第２発光部８２２から光信号が送信される。換言すれば、第２発光部８２２が配線器具１０の異常状態を報知している最中に、第２発光部８２２から、配線器具１０の動作履歴の情報が光信号として送信される。
【００９３】
そして、ユーザ（又はサービスマン）が、受信装置１００の受光部１０１で、配線器具１０の発光部８２から送信された光信号を受信する（Ｓ７）。受信装置１００は、受光部１０１で受信した光信号を復調部１０２で復調することで、配線器具１０の動作履歴の情報を取得する。そして、受信装置１００は、表示専用アプリケーションを起動して、図４に示すように、配線器具１０の動作履歴に含まれる解析結果情報を表示部１０３に表示する（Ｓ８）。このように、受信装置１００では、配線器具１０の動作履歴の解析処理を行わず、配線器具１０で作成された解析結果情報を表示するだけなので、処理負担無く、配線器具１０の内部状態の詳細情報（解析結果情報）を表示可能である。
【００９４】
図４の例示では、表示部１０３には、解析結果情報として、例えば３つの情報Ａ１，Ａ２，Ａ３が表示されている。情報Ａ１は、開閉部６の遮断回数（例えば２回）を示す情報である。情報Ａ２は、異常過熱が発生した異常箇所（例えば上段右側の接続部材３）を示す情報である。情報Ａ３は、異常過熱が発生した接続部材３の検出温度推移のグラフを示す情報である。この表示により、ユーザは、異常発生時の配線器具１０の内部状態の詳細情報を知ることができる。そして、ユーザは、この詳細情報から、配線器具１０の異常状態の原因、及び対処策を検討することができる。
【００９５】
ユーザは、配線器具１０の異常状態の原因を取り除いた場合は、配線器具１０を再使用できる。再使用する場合は、配線器具１０の操作部材８１をオフ位置からオン位置に復帰させることで、配線器具１０の開閉部６が遮断状態から導通状態に切り替わり、配線器具１０が再使用可能になる。または、ユーザは、対処策として、例えば、配線器具１０を取り外して交換することもできる。
【００９６】
また、受信装置１００は、受信した配線器具１０の動作履歴の情報を通信部１０４からサーバ２００に送信する（Ｓ９）。サーバ２００は、通信部２０１で受信装置１００からの配線器具１０の動作履歴の情報を受信すると（Ｓ１０）、受信した配線器具１０の動作履歴の情報をデータベース２０２に保存する（Ｓ１１）。これにより、配線器具１０の製造元では、データベース２０２に基づいて、配線器具１０の異常状態の原因、異常に対する対処策、及び配線器具１０の保守の仕方が検討可能である。
【００９７】
（３）変形例
上記の実施形態は、本開示の様々な実施形態の一つに過ぎない。上記実施形態は、本開示の目的を達成できれば、設計等に応じて種々の変更が可能である。また、上記実施形態に係る制御部７と同様の機能は、配線器具１０から情報を出力させる情報出力方法、コンピュータに上記の情報出力方法を実行させるためのプログラム、又は上記のプログラムを記録した非一時的記録媒体等で具現化されてもよい。
【００９８】
以下、上記実施形態の変形例を列挙する。以下に説明する変形例は、適宜組み合わせて適用可能である。
【００９９】
（変形例１）
上記の実施形態では、光信号が送信される第２発光部８２２は、１つの発光素子で構成されたが、複数の発光素子で構成されてもよい。この場合、第２発光部８２２を構成する複数の発光素子は、同期して発光する。すなわち、複数の発光素子を点灯、消灯又は点滅させるときは、複数の発光素子を同時に点灯、消灯又は点滅させる。これにより、第２発光部８２２を光通信の発光部として用いるとき、光通信の発光部から発光される光の光量を増加でき、かつ光通信の発光部の発光領域を広げることができる。これにより、受信装置１００での光信号の受信感動を向上できる。
【０１００】
なお、上記の実施形態では、第２発光部８２２から光信号が送信されたが、第１発光部８２１から光信号が送信されてもよい。この場合、上記同様に、第１発光部８２１を複数の発光素子で構成し、それら複数の発光素子を同期させて発光させてもよい。これにより、この場合も、受信装置１００での光信号の受信感動を向上できる。
【０１０１】
（変形例２）
上記の実施形態では、発光部８２は、可視光（例えば４００ｎｍ〜７００ｎｍの波長の光）を発光する発光素子で構成され、光信号は可視光を利用して送信されたが、このように限定されない。例えば、発光部８２は、可視光を出力する第１発光素子と、紫外線（例えば２８０ｎｍ〜４００ｎｍの光）を出力する第２発光素子とを含んでもよい。この場合、光信号は、第１発光素子の可視光と、第２発光素子の赤外線との両方の光を用いて送信される。この場合、光信号は、第１発光素子と第２発光素子とを同期されて送信されてもよく、同期されずに送信されてもよい。この場合は、受信装置１００の受光部１０１は、可視光及び紫外線の両方を受光可能な受光部である。この構成によれば、物陰など可視光では届き難い所でも、紫外線は、反射して届くことができる。このため、配線器具１０からの光信号を、より確実に、受信装置１００に受信させることができる。
【０１０２】
（変形例３）
上記の実施形態では、検出部として温度検出部５を備え、温度検出部５は、物理量として、接続部材３及び端子部材２の少なくとも一方の温度を検出する。ただし、検出される物理量は温度に限定されない。検出部は、配線器具１０の内部で検出可能な各種の物理量を検出してもよい。例えば、検出部は、物理量として、電流、電圧、電力、温度、応力、振動のうちの１つ以上を検出してもよい。電流は、例えば、配線器具１０の内部の給電路９に流れる電流である。電圧は、接続部材３及び端子部材２のうちの少なくとも１つの電圧である。電力は、配線器具１０の給電路９に流れる電力である。温度は、例えば、配線器具１０の内部の空間の温度であってもよいし、接続部材３及び端子部材２の何れかの温度であってもよい。応力は、配線器具１０に作用する応力である。振動は、配線器具１０に作用する機械的振動である。なお、振動は、配線器具１０の内部の回路で発生する電気的な振動（例えば外部電磁波で生じる電気的な振動）であってもよい。この構成によれば、配線器具１０の内部構成又は配線器具１０の設置場所に応じて適切な物理量を検出できる。これにより、配線器具１０で異常が発生した場合、その異常の原因をより正確に解明することができる。
【０１０３】
（変形例４）
上記の実施形態では、配線器具１０で、開閉部６の動作履歴及び温度検出部５の検出温度推移から解析結果情報が作成され、その解析結果情報が光信号で受信装置１００に送信されて受信装置１００の表示部１０３で表示される。ただし、解析結果情報が配線器具１０で作成される場合に限定されない。例えば、配線器具１０で解析結果情報を作成せずに、受信装置１００で、開閉部６の動作履歴及び温度検出部５の検出温度推移から解析結果情報を作成させ、その解析結果情報を受信装置１００の表示部１０３に表示させてもよい。これにより、配線器具１０で解析結果情報を作成しない分、配線器具１０での処理負担を軽減できる。また、このように、配線器具１０で解析結果情報を作成しない場合は、常時、配線器具１０の動作履歴を、配線器具１０の発光部８２から光信号として送信させてもよい。
【０１０４】
（変形例５）
上記の実施形態では、光信号は、表示灯としての発光部８２の点灯中に発光部８２から送信されたが、このように限定されない。例えば、発光部８２の発光モードを、表示灯として発光する表示灯モードと、光信号を送信する光通信モードとの一方に手動で切替可能にする。そして、発光部８２の発光モードが光通信モードに切り替えられたときだけ、発光部８２から光信号が送信されてもよい。
【０１０５】
この場合は、配線器具１０は、発光部８２の発光モードを表示灯モードと光通信モードとの一方に手動で切り替えるためのモード切替スイッチを更に備える。そして、制御部７は、モード切替スイッチが表示灯モードのときは、発光部８２を表示灯として発光させ、モード切替スイッチが光通信モードのときは、発光部８２から光信号を送信させる。これにより、受信装置１００で光信号を受信するときだけ、発光部８２から光信号を送信させることができる。
【０１０６】
（変形例６）
上記の実施形態の配線器具１０は、図５に示すように、受光部８８と、復調部８９とを更に備えてもよい。受光部８８は、外部装置からの光信号を受光する。復調部８９は、受光部８８で受光した光信号を復調して、光信号から情報を取り出す。制御部７は、復調部８９で復調された信号を取得する。そして、制御部７は、取得した信号に基づいて、変調部８３及び遮断回路８７を制御する。換言すれば、この変形例の配線器具１０は、外部装置との間で双方向の光通信が可能である。この結果、配線器具１０を外部装置と連携して動作させることができる。
【０１０７】
例えば、上記の外部装置がスマートスピーカである場合は、ユーザは、スマートスピーカに対して、音声で、配線器具１０に対する操作指令を出すことで、配線器具１０を操作可能である。なお、スマートスピーカとは、無線通信接続機能と音声操作のアシスタント機能を持つスピーカーである。
【０１０８】
すなわち、ユーザが、スマートスピーカに対して、音声で、配線器具１０に対する操作指令を出すと、スマートスピーカから、上記の操作指令に対応する制御信号が光信号として送信される。そして、配線器具１０は、受光部８８でスマートスピーカからの光信号（制御信号）を受信し、受信した光信号を復調部８９で復調して制御信号を取得する。そして、制御部７は、取得した制御信号に応じて、配線器具１０の開閉部６及び変調部８３を制御する。
【０１０９】
（変形例７）
上記の実施形態では、表示灯としての発光部８２を光通信の発光部として兼用した。ただし、光通信の発光部と兼用する発光部は、表示灯としての発光部８２に限定されない。図６に示すように、配線器具１０が、操作部材８１の場所を示す照明灯としての発光部９０を更に備える場合は、照明灯としての発光部９０を光通信の発光部として兼用してもよい。
【０１１０】
発光部９０は、操作部材８１（操作部）の周囲又は表面に配置されている。操作部材８１は、開閉部６を開閉する操作部である。図６では、発光部９０は、操作部材８１の周囲（例えば左横）に設けられているが、操作部材８１の表面に設けられてもよい。発光部９０は、開閉部６の開閉状態に応じて点灯する。より詳細には、発光部９０は、例えば、開閉部６が閉じた状態（すなわち導通状態）のときは消灯し、開閉部６が開いた状態（すなわち遮断状態）のときは点灯する。
【０１１１】
この変形例では、配線器具１０は、発光部９０の発光光に光信号を重畳する変調部（不図示）を更に備える。なお、操作部材８１は、開閉部６の開閉を操作する操作スイッチである。
【０１１２】
（変形例８）
上記の実施形態では、光信号によって、配線器具１０の動作履歴の情報が送信されたが、配線器具１０の動作履歴の情報の代わりに、配線器具１０の異常に関するエラーコードが送信されてもよい。
【０１１３】
この変形例では、制御部７は、開閉部６の動作履歴及び温度検出部５の検出温度の各々の情報から配線器具１０の異常内容（例えば異常箇所）を特定し、特定した異常内容をコード化してエラーコードを作成（すなわち生成）する。
【０１１４】
この変形例では、図７に示すように、サーバ２００Ｂは、データベース２０２の代わりに、エラーコードデータベース２０４と、対処策データベース２０５と、を有する。エラーコードデータベース２０４は、配線器具１０で発生し得る複数種の異常の内容と、複数のエラーコードと、を一対一に対応付けている。対処策データベース２０５は、配線器具１０で発生し得る複数種の異常の内容（又は複数種の異常の内容に対応したエラーコード）と、複数の対処策と、を一対一に対応付けている。
【０１１５】
この変形例の配線器具システム３００の動作について、図８及び図９を参照して説明する。図８のステップＳ１００〜Ｓ１０４は、図３のステップＳ１〜Ｓ４と同じである。以下の説明では、図８のステップＳ１０４から説明する。
【０１１６】
制御部７は、開閉部６が遮断されると（Ｓ１０４）、記憶部８５に保存された配線器具１０の動作履歴（温度検出部５の検出温度推移及び開閉部６の動作履歴）から配線器具１０の異常内容を特定する。そして、制御部７は、特定した異常内容をコード化してエラーコードを作成（生成）する（Ｓ１０５）。
【０１１７】
そして、制御部７は、変調部８３を制御して、発光部８２の第１発光部８２１を消灯させ、第２発光部８２２を点灯させる。その際、制御部７は、作成したエラーコードを変調部８３に出力する。これにより、変調部８３は、制御部７からのエラーコードに基づいて第２発光部８２２の発光光を変調することで、そのエラーコードを第２発光部８２２から光信号として送信する（Ｓ１０６）。
【０１１８】
そして、ユーザ（又はサービスマン）が、受信装置１００の受光部１０１で、配線器具１０の発光部８２から送信された光信号（すなわちエラーコード）を受信する（Ｓ１０７）。受信装置１００は、受光部１０１で受信したエラーコードを通信部２０１からサーバ２００Ｂに送信する（Ｓ１０８）。
【０１１９】
サーバ２００Ｂは、受信装置１００からのエラーコードを受信すると（Ｓ１０９）、エラーコードデータベース２０４で検索して、受信したエラーコードに対応する配線器具１０の異常内容を特定する（Ｓ１１０）。そして、サーバ２００Ｂは、特定した異常内容の情報を通信部２０１から受信装置１００の通信部１０４に送信する（Ｓ１１１）。
【０１２０】
そして、受信装置１００は、サーバ２００Ｂからの配線器具１０の異常内容の情報を受信すると（Ｓ１１２）、図１０Ａに示すように、受信した配線器具１０の異常内容の情報を表示部１０３に表示する（Ｓ１１３）。
【０１２１】
図１０Ａの例示では、表示部１０３には、配線器具１０の異常内容として、例えば３つの異常内容Ｂ１，Ｂ２，Ｂ３が表示されている。異常内容Ｂ１は、配線器具１０で異常が発生したことを知らせる異常内容である。異常内容Ｂ２は、開閉部６が遮断されたことを知らせる異常内容である。異常内容Ｂ３は、異常過熱が発生した箇所（例図では上段右側の接続部材３）を示す異常内容である。この表示により、ユーザは、配線器具１０の異常内容を知ることができる。
【０１２２】
そして、ユーザが受信装置１００を操作して、配線器具１０の異常内容に対する対処策を要求すると（Ｓ１１４）、受信装置１００は、配線器具１０の異常内容の情報と対処策要求信号とを、通信部１０４からサーバ２００Ｂの通信部２０１に送信する（Ｓ１１５）。
【０１２３】
そして、サーバ２００Ｂは、受信装置１００から、配線器具１０の異常内容の情報と対処策要求信号とを通信部２０１で受信する（Ｓ１１６）。そして、サーバ２００Ｂは、対処策データベース２０５を検索して、受信した配線器具１０の異常内容に対する対処策を特定する（Ｓ１１７）。そして、サーバ２００Ｂは、特定した対処策（検索結果）を通信部２０１から受信装置１００の通信部１０４に送信する（Ｓ１１８）。
【０１２４】
そして、受信装置１００は、サーバ２００からの対処策を通信部１０４で受信する（Ｓ１１９）と、図１０Ｂに示すように、受信した対処策を表示部１０３に表示する（Ｓ１２０）。そして、処理が終了する。
【０１２５】
図１０Ｂの例示では、表示部１０３には、対処策として、例えば２つの対処策Ｃ１，Ｃ２が表示されている。対処策Ｃ１は、配線器具１０の接続口１１に差し込まれた負荷機器を接続口１１から外す対処策である。対処策Ｃ２は、配線器具１０の異物除去を行う対処策である。ユーザは、表示部１０３に表示された対処策を１つずつ実行することで、配線器具１０の異常原因を解消することができる。
【０１２６】
（変形例９）
上記の実施形態では、配線器具１０は、接続部材３及び開閉部６の両方を備えたが、接続部材３及び開閉部６のうちの少なくとも一方を備えていればよい。また、上記の実施形態の配線器具１０は、コンセントであったが、コンセントに限定されない。例えば、配線器具１０は、接続部材３及び開閉部６のうちの少なくとも一方を備えた配線器具であれば、どのような配線器具でもよく、例えば、分電盤、電力計測ユニット、又はスイッチコンセントでもよい。
【０１２７】
（変形例１０）
上記の実施形態では、受信装置１００は、配線器具１０からの光信号を、受光部１０１で受信して復調部１０２で復調することで、光信号に含まれる情報を取得するが、このように限定されない。例えば、受信装置１００は、発光部８２の点灯状態を、動画撮影して画像認識することで、光信号に含まれる情報を取得してもよい。この場合、受信装置１００は、受光部１０１及び復調部１０２の代わりに、カメラ部及び画像認識部を備える。カメラ部は、発光部８２の点灯状態を動画撮影可能である。画像認識部は、カメラ部で撮影された動画像に基づいて、発光部８２の点滅パターンを読み取ることで、光信号に含まれる情報を取得する。このような受信装置１００は、動画撮影機能を有する既存の端末装置（スマートフォン、携帯電話、タブレット又はＰＣなど）に、上記の画像認識部の機能を実現する専用アプリをインストールすることで、構成可能である。すなわち、既存の携帯端末を利用して廉価に構成可能である。
【０１２８】
（変形例１１）
上記の実施形態の配線器具１０は、例えば分電盤との間でデータ通信を行ってもよい。この場合、配線器具１０と分電盤との間の通信は、配線器具１０と分電盤とを繋ぐ給電線を用いた電力線通信（ＰＬＣ：Power Line Communications）で行ってもよい。なお、配線器具１０と分電盤との間の通信は、電力線通信と光通信とを併用してもよい。また、配線器具１０の光通信機能はチップ化されてもよく、そのチップ化された光通信機能に電力線通信機能が搭載されてもよい。
【０１２９】
（その他の変形例）
上記の実施形態では、判定条件は、検出温度が閾値温度以上であることを含んでいればよく、検出温度が閾値温度以上であることに加えて、他の条件を含んでいてもよい。例えば、判定条件は、検出温度が閾値温度以上であるという事象が、所定時間継続すること、所定回数発生すること、又は所定値以上の頻度で発生すること等を含んでいてもよい。また、開閉部６は、例えば、メカニカルリレー又は半導体スイッチ等で実現されてもよい。
【０１３０】
（４）まとめ
以上説明したように、第１の態様に係る配線器具（１０）は、接続部材（３）及び開閉部（６）のうちの少なくとも一方と、発光部（８２）と、送信制御部（８３）と、を備える。接続部材（３）は、差込プラグ（９１）の導体（９１１）と接続される。開閉部（６）は、給電線（９２）が接続される給電路（９）を遮断又は導通する。発光部（８２）は、光を出力する。送信制御部（８３）は、発光部（８２）から出力される光を変調して、内部情報（配線器具（１０）の動作履歴）を光信号として発光部（８２）から送信させる。
【０１３１】
この構成によれば、配線器具（１０）の内部情報を光信号で外部に出力できるため、簡単に、配線器具（１０）の内部情報を外部に出力できる。より詳細には、配線器具（１０）は、光信号で内部情報を外部に送信するため、発光部（８２）の点灯状態で配線器具（１０）の状態を報知する場合よりも、より多くの情報を外部に出力できる。この結果、配線器具（１０）で異常が発生した場合、配線器具（１０）から光信号で出力された情報を利用することで、異常の原因を解明し易くなる。また、受信装置（１００）で光信号を受信することで配線器具（１０）から情報を簡単に取得できるため、取得した情報のみを利用して、例えばサービスセンタに配線器具（１０）を持ち込むことなく、異常の原因を解明できる。
【０１３２】
第２の態様に係る配線器具（１０）は、第１の態様において、検出部（５）を更に備える。検出部（５）は、物理量を検出する。前記内部情報は、検出部（５）で検出された物理量に関する情報である。
【０１３３】
この構成によれば、検出部（５）で配線器具（１０）の内部の各種の物理量を検出でき、検出された物理量に関する情報を、光通信で配線器具（１０）から受信装置（１００）に送信できる。これにより、配線器具（１０）に異常が発生したとき、異常の原因を解析するための情報を容易に収集できる。
【０１３４】
第３の態様に係る配線器具（１０）では、第２の態様において、物理量は、電流、電圧、電力、温度、応力、機械的振動のうちの１つ以上である。
【０１３５】
この構成によれば、配線器具（１０）の内部構成又は配線器具（１０）の設置場所に応じて適切な物理量を検出できる。これにより、配線器具（１０）で異常が発生した場合、その異常の原因をより正確に解明することができる。
【０１３６】
第４の態様に係る配線器具（１０）では、第１又は第２の態様において、前記内部情報は、検出部（５）で検出された物理量を解析して解析結果情報を含む。
【０１３７】
この構成によれば、検出部で検出された物理量を解析した解析結果情報が配線器具（１０）から光信号として送信される。したがって、受信装置（１００）で、配線器具（１０）から受信した内部情報を解析する必要がない。この結果、配線器具（１０）から受信した内部情報を、受信装置（１００）で、すぐに、分かり易い表示形式で表示できる。
【０１３８】
第５の態様に係る配線器具（１０）では、第１〜第４の態様の何れか１つの態様において、発光部（８２）は、可視光を出力する表示灯であり、点灯状態により配線器具（１０）の状態を報知する。
【０１３９】
この構成によれば、発光部（８２）が可視光を出力するこのため、配線器具（１０）の状態を報知する表示灯として兼用できる。換言すれば、配線器具（１０）が、配線器具（１０）の状態を報知する表示灯を備える場合は、その表示灯を光通信の発光部（８２）として兼用できる。
【０１４０】
第６の態様に係る配線器具（１０）では、第５の態様において、第１情報と、第２情報とは、互いに関連する。第１情報は、光信号として発光部（８２）から出力される情報（配線器具（１０）の動作履歴）である。第２情報は、表示灯として発光部（８２）から出力される情報（配線器具（１０）の状態）である。第１情報は、第２情報と異なる情報を含む。
【０１４１】
この構成によれば、光信号として発光部（８２）から出力される第１情報と、表示灯として発光部（８２）から出力される第２情報とは、互いに関連し、前記第１情報は、前記第２情報と異なる情報を含む。このため、配線器具（１０）の異常の原因を特定する際に、表示灯で提供される情報（第２情報）だけでは十分でない場合は、発光部（８２）からの光信号によって第１情報を取得することで、配線器具（１０）の異常の原因をより正確に特定できる。
【０１４２】
第７の態様に係る配線器具（１０）は、第１〜第６の態様の何れか１つの態様において、受光部（８８）と、復調部（８９）と、を更に備える。前記光信号を第１光信号とする。受光部（８８）は、外部からの第２光信号を受信する。復調部（８９）は、受光部（８８）で受信された第２光信号を復調して情報を取り出す。
【０１４３】
この構成によれば、外部装置から送信された光信号を受信できる。すなわち、外部装置との間で双方向通信を行うことができる。
【０１４４】
第８の態様に係る配線器具（１０）は、第１〜第７の態様の何れか１つの態様において、開閉部（６）と、操作部（８１）と、を備える。操作部（８１）は、開閉部（６）の開閉を操作する。発光部（８２）は、開閉部（６）の開閉状態に応じて点灯する。
【０１４５】
この構成によれば、配線器具（１０）が照明スイッチ（ほたるスイッチとも言う）である場合、照明スイッチの照明灯を光通信の発光部（８２）として兼用できる。
【０１４６】
第９の態様に係る配線器具（１０）では、第１〜第８の態様の何れか１つの態様において、発光部（８２）は、複数の発光素子を含む。複数の発光素子は同期して発光する。
【０１４７】
この構成によれば、発光部（８２）の発光光の光量を増加でき、かつ発光部（８２）の発光領域を広げることができる。これにより、受信装置（１００）での光信号の受信感動を向上できる。
【０１４８】
第１０の態様に係る配線器具（１０）では、第１〜第９の態様の何れか１つの態様において、発光部（８２）は、第１発光素子と、第２発光素子とを含む。第１発光素子は、可視光を出力する。第２発光素子は、紫外線を出力する。
【０１４９】
この構成によれば、物陰など可視光では届き難い所でも、紫外線は、反射して届くことができる。このため、配線器具（１０）からの光信号を、より確実に、受信装置（１００）に受信させることができる。
【０１５０】
第１１の態様に係る情報出力方法は、接続部材（３）及び開閉部（６）のうちの少なくとも一方を備えた配線器具（１０）から情報を出力する情報出力方法である。接続部材（３）は、差込プラグ（９１）の導体（９１１）と接続される。開閉部（６）は、給電線（９２）が接続される給電路（９）を遮断又は導通する。上記の情報出力方法では、発光部（８２）から出力される光を変調して、内部情報を発光部（８２）から光信号として送信する。
【０１５１】
この構成によれば、配線器具（１０）の内部情報を光信号で外部に出力できるため、簡単に、配線器具（１０）の内部情報を外部に出力できる。
【０１５２】
より詳細には、配線器具（１０）は、光信号で内部情報を外部に送信するため、発光部（８２）の点灯状態で配線器具（１０）の状態を報知する場合よりも、より多くの情報を外部に出力できる。この結果、配線器具（１０）で異常が発生した場合、配線器具（１０）から光信号で出力された情報を利用することで、異常の原因を解明し易くなる。また、受信装置（１００）で光信号を受信することで配線器具（１０）から情報を簡単に取得できるため、取得した情報のみを利用して、例えばサービスセンタに配線器具（１０）を持ち込むことなく、異常の原因を解明できる。
【０１５３】
第１２の態様に係るプログラムは、コンピュータに、第１１の態様の情報出力方法を実行させるためのプログラムである。
【０１５４】
この構成によれば、配線器具が汎用のコンピュータを備える場合でも、配線器具（１０）の内部情報を光信号で外部に出力できる。
【符号の説明】
【０１５５】
３  接続部材
５  温度検出部（検出部）
６  開閉部
１０  配線器具
８１  操作部材（操作部）
８２  発光部
８３  変調部（送信制御部）
８８  受光部
８９  復調部
９１  差込プラグ
９２  給電線
１００  受信装置
９１１  導体
【図１】
2019186135.tif 000003
【図２】
2019186135.tif 000004
【図３】
2019186135.tif 000005
【図４】
2019186135.tif 000006
【図５】
2019186135.tif 000007
【図６】
2019186135.tif 000008
【図７】
2019186135.tif 000009
【図８】
2019186135.tif 000010
【図９】
2019186135.tif 000011
【図１０】
2019186135.tif 000012